(57)【要約】 【課題】  ランスの強度を損なうことなく端子金具の抜き取り作業性を向上させる。【解決手段】  雌ハウジング２０のキャビティ２２内には雌端子金具１０に係止可能なランス２４が設けられている。ランス２４は、前後両端部が雌ハウジング２０に連結された両持ち状に形成され、前後両端部を支点として撓み変形可能とされている。雌端子金具１０の下面には、ランス２４が進入可能な凹部１４が設けられ、その前縁にはランス２４が係止可能な係止突部１５が下方へ突出して設けられている。ランス２４の上面には、凹部１４に沿って概ね水平をなす沿面３５と、前方へ向かって上り勾配をなすとともに係止突部１５によるランス２４の押圧動作を案内可能な案内傾斜面３４とが前後に形成されている。ランス２４の上面における沿面３５と案内傾斜面３４との間には、案内傾斜面３４よりも緩やかな勾配をなす逃がし傾斜面３６が形成されている。【選択図】  図３
2005158418.tif 000002
【特許請求の範囲】
【請求項１】
コネクタハウジングには、端子金具を挿入可能なキャビティが設けられるとともに、前記キャビティ内には、前記端子金具が挿入される過程では一旦撓み変形した後に端子金具が正規深さに達すると復元して端子金具に対して係止可能なランスが設けられており、
前記ランスは、前後両端部が前記コネクタハウジングに連結された両持ち状に形成され、
前記端子金具における前記ランスとの対向面には、ランスが進入可能な凹部が設けられるとともにその凹部の前縁には、ランスが係止可能な係止突部がランス側へ突出して設けられており、
前記ランスにおける前記端子金具との対向面には、前記凹部に概ね沿った形状の沿面と、前方へ向かって上り勾配をなすとともに前記係止突部のランスに対する押圧動作を案内可能な案内傾斜面とが前後に形成され、且つ前記沿面と前記案内傾斜面との間には、案内傾斜面よりも緩やかな勾配をなす逃がし傾斜面が形成されていることを特徴とするコネクタ。
【請求項２】
前記係止突部は、後端側に行くに従って突出寸法が大きくなる傾斜状に形成されており、その後端部におけるランスとの対向面が概ね水平となるよう形成されていることを特徴とする請求項１記載のコネクタ。
【発明の詳細な説明】
【技術分野】
【０００１】
本発明は、コネクタに関する。
【背景技術】
【０００２】
従来、ランスにより端子金具を抜け止めするものの一例が下記特許文献１に記載されている。このものは、図９に示すように、ハウジング１には、端子金具２を挿入可能なキャビティ３が設けられ、キャビティ３内には端子金具２を抜け止めするためのランス４が設けられており、このランス４は、前後両端部が連結された両持ち状をなすとともに端子金具２が挿入される過程では前後の連結部分を支点として略弓形に弾性変形可能とされている。一方、端子金具２におけるランス４との対向面には、ランス４が進入可能な凹部５が設けられるとともに、その凹部５の前縁にはランス４に対して係止可能な係止突部６がランス４側へ突出して設けられている。そして、ランス４における端子金具２との対向面には、凹部５に沿ってほぼ水平をなす沿面４ａと、ランス４の後側の連結部分から前方へ向かって上り勾配をなすとともに係止突部６のランス４に対する押圧動作を案内するための案内傾斜面４ｂとが前後に形成されている。
【特許文献１】特開２００３−１５７９２２公報
【発明の開示】
【発明が解決しようとする課題】
【０００３】
ところで、両持ち状をなすランス４は、既述したように撓み変形時に略弓形となるので、片持ち状のものと比較するとランス４の傾き角度が小さく、その角度が案内傾斜面４ｂの傾斜角度よりも小さくなっていた。このため、端子金具２を取り外す際にランス４を強制的に撓み変形させつつ端子金具２を抜き取ろうとしたとき、係止突部６の通過経路上にランス４の一部が張り出して配されることになるため、そこに係止突部６の後端部が引っ掛かるおそれがあり、抜き取り作業性が悪化する問題があった。
【０００４】
もっとも、案内傾斜面４ｂの傾斜角度をランス４の後部の傾き角度と同じ程度に設定すれば、上記のような問題は解消し得るのであるが、そうすると今度は後側の連結部分においてランス４が薄くなってしまい、ランス４の強度が低下するという問題が生じることになり、簡単には対応できなかった。
本発明は上記のような事情に基づいて完成されたものであって、ランスの強度を損なうことなく端子金具の抜き取り作業性を向上させることを目的とする。
【課題を解決するための手段】
【０００５】
上記の目的を達成するための手段として、請求項１の発明は、コネクタハウジングには、端子金具を挿入可能なキャビティが設けられるとともに、前記キャビティ内には、前記端子金具が挿入される過程では一旦撓み変形した後に端子金具が正規深さに達すると復元して端子金具に対して係止可能なランスが設けられており、前記ランスは、前後両端部が前記コネクタハウジングに連結された両持ち状に形成され、前記端子金具における前記ランスとの対向面には、ランスが進入可能な凹部が設けられるとともにその凹部の前縁には、ランスが係止可能な係止突部がランス側へ突出して設けられており、前記ランスにおける前記端子金具との対向面には、前記凹部に概ね沿った形状の沿面と、前方へ向かって上り勾配をなすとともに前記係止突部のランスに対する押圧動作を案内可能な案内傾斜面とが前後に形成され、且つ前記沿面と前記案内傾斜面との間には、案内傾斜面よりも緩やかな勾配をなす逃がし傾斜面が形成されている構成としたところに特徴を有する。
【０００６】
請求項２の発明は、請求項１に記載のものにおいて、前記係止突部は、後端側に行くに従って突出寸法が大きくなる傾斜状に形成されており、その後端部におけるランスとの対向面が概ね水平となるよう形成されているところに特徴を有する。
【発明の効果】
【０００７】
＜請求項１の発明＞
キャビティ内に端子金具を挿入する途中では、係止突部により押圧されることでランスが一旦撓み変形する。このとき案内傾斜面により係止突部のランスに対する押圧動作が案内される。端子金具が正規深さに達すると、ランスが復元して凹部内に進入するとともに係止突部に対して係止される。一方、端子金具を取り外す際には、ランスを撓み変形させてその係止状態を解除しつつ端子金具を抜き取るようにする。
本発明によれば、沿面と案内傾斜面との間に案内傾斜面よりも緩やかな勾配をなす逃がし傾斜面を形成するようにしたから、両持ち状のランスが前後の連結部分を支点として撓み変形するとき、ランスを係止突部の通過経路から逃がすことができる。従って、端子金具を抜き取る際に係止突部がランスに対して引っ掛かり難くなり、もって抜き取り作業性を向上させることができる。しかも、案内傾斜面とは別途に逃がし傾斜面を形成しているので、例えば単に案内傾斜面の傾斜角度を小さくしてランスを係止突部から逃がすようにした場合と比較すると、ランスの後側の連結部分が薄くなることがなく、従ってランス強度が損なわれることもない。
【０００８】
＜請求項２の発明＞
係止突部の後端部におけるランスとの対向面を概ね水平となる形状としたから、抜き取り時に係止突部がランスに一層引っ掛かり難くすることができる。
【発明を実施するための最良の形態】
【０００９】
＜実施形態１＞
本発明の実施形態１を図１ないし図６によって説明する。本実施形態では、雌コネクタを例示する。雌コネクタは、複数本の雌端子金具１０と、雌端子金具１０を収容可能な雌コネクタハウジング２０（以下、単に雌ハウジング２０という）と、雌ハウジング２０に装着されるリテーナ３０とから構成される。なお以下では、雌ハウジング２０に対する雌端子金具１０の挿入方向を前方、逆の抜き取り方向を後方とし、また上下方向については図２を除く各図面を基準とする。
【００１０】
雌端子金具１０は、金属板をプレス成形することで所定形状に形成されており、図１及び図２に示すように、略箱型をなすとともに相手の雄端子金具と導通接続可能な本体部１１と、電線Ｗの端末に圧着接続可能なバレル部１２とを前後に繋げた構成とされている。バレル部１２は、前後に一対ずつのかしめ片を有しており、前側の両かしめ片が電線Ｗの芯線に対してかしめ付けられるのに対し、後側の両かしめ片が電線Ｗの被覆に対してかしめ付けられる。
【００１１】
本体部１１のうち下方を向いた外壁１３（ランス２４と対向する面）における長さ方向略中央には、凹部１４が形成されている。この凹部１４は、図２に示す奥側（図１では手前側）へ開口しており、ここには後述するランス２４が進入可能とされるとともにその前縁にはランス２４が係止可能とされている。外壁１３における凹部１４の前縁には、下方（ランス２４側）へ突出する係止突部１５が叩き出しにより形成されており、ここにもランス２４が係止可能とされている。係止突部１５は、全体として前端部を頂点とした略三角錐形状をなしており、幅寸法及び突出寸法が後端側に行くに従って次第に増加する（前端側に行くに従って次第に減少する）形状となっている。係止突部１５におけるランス２４との係止面である後端面は、図３に示すように、下端部を除いては前方へ向かって上り勾配をなす傾斜面として形成されている。なお係止突部１５の後端面における下端部は、後方へ向かって上り勾配をなす傾斜面とされている。係止突部１５のうちランス２４に対する押圧面である下面（ランス２４との対向面）は、前方へ行くに従って上り勾配をなす傾斜面として形成されている。また本体部１１の外壁１３における後端部の図２に示す手前側の側縁からは、係止突部１５と同方向に突出するとともに雌端子金具１０の挿入動作の案内などに機能するスタビライザ１６が設けられている。なお本体部１１内には、相手の雄端子金具と弾性接触可能な弾性接触片（図示せず）が設けられている。
【００１２】
雌ハウジング２０は、合成樹脂製とされ、図１に示すように、全体が略ブロック状に形成されており、その上面前端部には、雌ハウジング２０が相手の雄ハウジングと嵌合されたときに両ハウジングを嵌合状態に保持可能な片持ち状のロックアーム２１が突設されている。雌ハウジング２０には、後方から雌端子金具１０を挿入可能なキャビティ２２が設けられている。キャビティ２２は、雌ハウジング２０において上下２段、幅方向に複数室ずつ並列して配置されており、その周壁のうち下壁２３には、雌端子金具１０を抜け止めするためのランス２４が設けられている。なおランス２４の構造については後に詳しく説明する。キャビティ２２の前壁２５には、前方から相手の雄端子金具のタブがキャビティ２２内に進入するのを許容するタブ挿通孔２６が開口して形成され、その周縁前部にはタブを誘い込むためのテーパ面が周設されている。キャビティ２２の下壁２３における幅方向略中央には、係止突部１５を挿通可能な突部挿通凹部２７が形成され、その図１に示す奥側にはスタビライザ１６を挿通可能なスタビライザ挿通凹部２８が形成されている。このうち突部挿通凹部２７は、後述するようにランス２４側にも引き続いて形成されている。
【００１３】
雌ハウジング２０の長さ方向略中央には、リテーナ３０を装着可能なリテーナ装着孔２９が下方へ開口して形成されている。リテーナ装着孔２９は、各キャビティ２２に対して連通するよう形成されているので、各キャビティ２２の周壁（上段側のキャビティ２２の上壁及び両側壁を除く）が前後に分断されている。リテーナ３０は、雌端子金具１０のうち本体部１１の後端に形成されたあご部１７に対して係止可能な係止部３０ａを有している。リテーナ３０は、各係止部３０ａが各キャビティ２２の下方に退避して配されることでキャビティ２２に対する雌端子金具１０の挿抜を許容する仮係止位置（図３など）と、各係止部３０ａが各キャビティ２２内に進入するとともにあご部１７に対して係止する本係止位置（図６）との２位置間を上下（雌端子金具１０の挿抜方向と直交する方向）に移動可能とされる。なおリテーナ３０は、図示しない保持手段によって上記２位置に選択的に保持可能とされている。
【００１４】
ここで、ランス２４の構造を詳しく説明する。ランス２４は、図１及び図３に示すように、キャビティ２２の下壁２３のうちリテーナ装着孔２９よりも前側部分に設けられており、前後両端部が雌ハウジング２０に連結されたアーム部３１と、アーム部３１の上面から上方（雌端子金具１０側）へ突出する突出部３２とから構成されている。下壁２３におけるリテーナ装着孔２９よりも前側部分は、その後端部を除いた部分が一段低い低位部分２３ａとされており、この段差部分に対してアーム部３１の後端部が連結されている。一方、アーム部３１の前端部は、キャビティ２２の前壁２５に対して連結されている。そして、ランス２４は、前後の連結部分２４ａ，２４ｂを支点として下方へ撓み変形可能とされ、撓み変形時には全体が略弓形（略Ｖ字型）をなす（図４参照）。この撓み変形時には、アーム部３１のうち前部３１ａが前端部（前側の連結部分２４ａ）を支点として所定角度だけ後傾するのに対し、後部３１ｂが後端部（後側の連結部分２４ｂ）を支点として所定角度だけ前傾することになる。アーム部３１のうち前部３１ａは、全長にわたってほぼ水平に形成されるのに対し、後部３１ｂは連結部分２４ｂから前方へ向かって上り勾配をなすよう形成されている。アーム部３１の上面（幅方向略中央部分を除く）は、全長にわたってほぼ水平に形成されるのに対し、下面は、後部３１ｂについては前方へ向かって上り勾配をなす傾斜面とされている。アーム部３１の上面のうち、幅方向略中央部分には、既述した突部挿通凹部２７が連続して形成されている。またランス２４の下方には、下壁２３の低位部分２３ａが対向して配されており、この低位部分２３ａは、ランス２４がその弾性限度を超えるまで撓み変形する手前の段階でランス２４の下面に係合可能とされることで、ランス２４の過度撓みを規制可能とされる。
【００１５】
突出部３２は、アーム部３１における長さ方向略中央位置に設けられ、その前端位置がアーム部３１の前部３１ａと揃えられている。突出部３２は、その突出寸法が凹部１４の凹み深さとほぼ同じとされており、雌端子金具１０の挿入時には凹部１４内に進入するとともに、突出部３２の前面が凹部１４の前縁に対して係止可能とされている。突出部３２のうち凹部１４の前縁に対する係止面である前面は、上下方向に沿ってほぼ真っ直ぐな面とされている。突出部３２の上面における幅方向略中央部分には、突部挿通凹部２７がアーム部３１側から引き続いて形成されている。また突出部３２の幅寸法は、凹部１４に適合した大きさとされ、アーム部３１の幅寸法よりも小さく設定されている。
【００１６】
またアーム部３１の前部３１ａのうち突出部３２よりも前側の部分には、係止突部１５の進入を許容する逃がし凹部３３が前方へ開口して形成されている。この逃がし凹部３３の奥面は、係止突部１５の後端面に係止可能とされており、係止突部１５の後端面に概ね沿うような傾斜面として形成されている。この逃がし凹部３３には、前方から治具（図示せず）が挿入可能とされており、その底面を治具によって下方へ押圧操作することでランス２４を強制的に撓み変形させて係止状態を解除できるようになっている。また逃がし凹部３３は、ランス２４の前端部（前側の連結部分２４ａ）を二股状に分岐するよう拡張して形成されており、その拡張部分の奥面には治具を逃がし凹部３３の底面へ案内すべくテーパ状の案内面が形成されている。
【００１７】
ランス２４の上面（雌端子金具１０との対向面）における突部挿通凹部２７が形成された部分のうち、後側約１／３部分が前方へ向かって上り勾配をなす案内傾斜面３４とされるのに対し、前側約１／３部分がほぼ水平をなす沿面３５とされ、且つ案内傾斜面３４と沿面３５との間の約１／３部分が案内傾斜面３４よりも勾配が緩やかな逃がし傾斜面３６とされている。詳しくは、案内傾斜面３４は、ランス２４における後側の連結部分２４ｂを始点として形成されており、その傾斜角度は、後側の連結部分２４ｂにおける厚み寸法についてランス２４の強度を十分に保てるような大きさに設定されている。この案内傾斜面３４は、係止突部１５によって下方へ押圧可能とされるとともに、その押圧動作を案内可能とされている。沿面３５は、凹部１４におけるランス２４との対向面である下面に沿ってほぼ水平に形成されている。
【００１８】
そして、案内傾斜面３４の傾斜角度は、ランス２４がその弾性限度内で最大限に撓み変形したときにおける後部３１ｂの傾き角度よりも小さくなっているのに対し、逃がし傾斜面３６の傾斜角度は、上記した後部３１ｂの傾き角度よりも大きく設定されている。従って、ランス２４がその弾性限度内で最大限に撓み変形した状態では、図４に示すように、案内傾斜面３４が前方へ向かって僅かに上り勾配をなすよう傾斜しているのに対し、逃がし傾斜面３６は、前方へ向かって僅かに下り勾配をなすよう傾斜している。このとき逃がし傾斜面３６が係止突部１５の通過経路に僅かに張り出しているのに対して、逃がし傾斜面３６は、係止突部１５の通過経路から下方へ退避して（引っ込んで）配されることで係止突部１５との干渉が抑制されるようになっている。言い換えると、逃がし傾斜面３６によってランス２４のうち後側の連結部分２４ｂよりも前側の部分が薄肉状に形成されているので、ランス２４の強度を損なうことなく係止突部１５の通過経路を確保することができる。また案内傾斜面３４の傾斜角度は、係止突部１５の下面よりもやや急に設定されている。
【００１９】
本実施形態は以上のような構造であり、続いてその作用を説明する。図１及び図３に示すように、雌ハウジング２０に対してリテーナ３０を仮係止位置に装着した状態で、電線Ｗの端末に接続した雌端子金具１０を挿入する作業を行う。雌端子金具１０をキャビティ２２内に挿入すると、係止突部１５が突部挿通凹部２７内に、スタビライザ１６がスタビライザ挿通凹部２８内にそれぞれ進入することで、挿入動作が案内される。
【００２０】
雌端子金具１０を所定深さまで挿入したところで、図４に示すように、係止突部１５がランス２４の上面における案内傾斜面３４を押圧することで、ランス２４が一旦下方へ撓み変形する。このとき、案内傾斜面３４の勾配によって係止突部１５のランス２４に対する押圧動作が案内されてランス２４がスムーズに撓み変形する。この撓み変形時には、ランス２４の前部３１ａが前端部を支点として後傾するのに対し、後部３１ｂが後端部を支点として前傾することで、全体が略弓形をなす。この過程では、案内傾斜面３４は前方へ向かって上り勾配をなすよう傾斜するのに対し、逃がし傾斜面３６及び沿面３５は前方へ向かって下り勾配をなすよう傾斜する。
【００２１】
そして、雌端子金具１０がキャビティ２２内に正規深さまで挿入されると、図５に示すように、係止突部１５が突出部３２を乗り越えてその前方の逃がし凹部３３内に進入するとともにランス２４が復元する。すると、ランス２４の突出部３２が雌端子金具１０の凹部１４内に進入してその前面が凹部１４の前縁に対して係止するとともに、逃がし凹部３３の奥面が係止突部１５の後端面に対して係止することで、雌端子金具１０の抜け止めが図られる。全ての雌端子金具１０を対応するキャビティ２２に挿入し終えたら、リテーナ３０を本係止位置へ押し込む作業を行う。リテーナ３０が本係止位置に達すると、図６に示すように、各係止部３０ａが各キャビティ２２内に進入するとともに各雌端子金具１０のあご部１７に対して係止することで、雌端子金具１０が二重に抜け止めされた状態で保持される。
【００２２】
一方、メンテナンスなどの事情により雌端子金具１０を雌ハウジング２０から取り外す場合がある。その場合は、リテーナ３０を仮係止位置に戻してあご部１７に対する係止部３０ａの係止状態を解除した後、逃がし凹部３３内に前方から治具を挿入して逃がし凹部３３の底面を下方へ押圧操作することで、ランス２４を強制的に撓み変形させてその係止状態を解除するとともに電線Ｗを後方へ引っ張るようにする。詳しくは、係止状態を解除すべくランス２４をその弾性限度内において最大限に撓み変形させた状態では、図４に示すように、沿面３５及び逃がし傾斜面３６が前方へ向かって下り勾配をなすよう傾斜するとともに、係止突部１５の通過経路から下方へ退避して配されている。従って、この状態から雌端子金具１０を後退させたところで、係止突部１５がランス２４に対して引っ掛かり難くなっている。これにより、抜き取り作業性が良好になるとともに引っ掛かりに伴ってランス２４や雌端子金具１０の係止突部１５が変形などする事態を極力回避することができる。しかも、抜き取り過程において係止突部１５が最初に通過する沿面３５が最も大きく退避しているので、引っ掛かりがより生じ難くなっている。なお案内傾斜面３４は、前方へ向かって僅かに上り勾配をなすよう傾斜しており、つまり係止突部１５の通過経路側に僅かに張り出しているものの、上記した逃がし傾斜面３６によって係止突部１５の後端部の後退動作が案内されることで、引っ掛かりが生じ難くなっている。
【００２３】
以上説明したように本実施形態によれば、ランス２４における雌端子金具１０との対向面において沿面３５と案内傾斜面３４との間に案内傾斜面３４よりも勾配が緩やかな逃がし傾斜面３６を形成するようにしたから、両持ち状のランス２４が前後の連結部分２４ａ，２４ｂを支点として撓み変形するとき、ランス２４を係止突部１５の通過経路から逃がすことができる。従って、雌端子金具１０を抜き取る際に係止突部１５がランス２４に対して引っ掛かり難くなり、もって抜き取り作業性を向上させることができる。しかも、案内傾斜面３４とは別途に逃がし傾斜面３６を形成しているので、例えば単に案内傾斜面３４の傾斜角度を小さくしてランス２４を係止突部１５から逃がすようにした場合と比較すると、ランス２４の後側の連結部分２４ｂが薄くなることがなく、従ってランス２４の強度が損なわれることもない。
【００２４】
＜実施形態２＞
本発明の実施形態２を図７及び図８により説明する。本実施形態では、係止突部１５Ａの形状を変更したものを示す。なおこの実施形態２では、上記した実施形態１と同様の構成については、同一符号を付し、重複する説明は省略する。
【００２５】
係止突部１５Ａは、図７に示すように、前端から途中までは後端側に行くに従って突出寸法が大きくなる傾斜状に形成されているものの、後端部１５Ａａが所定長さにわたって突出寸法が一定になるよう形成されている。この係止突部１５Ａの後端部１５Ａａにおける下面１５Ａｂ（ランス２４との対向面）は、概ね水平をなしており、この下面１５Ａｂと係止突部１５Ａの後端面の下端部１５Ａｃとがなす角度は、実施形態１のもの（係止突部１５の下面が全長にわたって傾斜面とされるもの）よりも大きくなっている。従って、図８に示すように、雌端子金具１０を抜き取る過程でも、ランス２４に対して係止突部１５Ａの後端部１５Ａａが引っ掛かり難くなり、もって抜き取り作業性を一層向上させることができる。
【００２６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）逃がし傾斜面の形成範囲や傾斜角度などについては、任意に変更することができる。また逃がし傾斜面が必ずしも真っ直ぐな面である必要はなく、例えば円弧状などの曲面としたものも本発明に含まれる。
【００２７】
（２）上記した実施形態では、ランスの上面のうち凹部に沿う沿面がほぼ水平に形成されたものを示したが、水平な面以外にも例えば前傾または後傾した面や、円弧状などの曲面としたものも本発明に含まれる。
（３）上記した実施形態では、雌コネクタについて示したが、雄端子金具を備える雄コネクタにも本発明は適用可能である。
（４）上記した実施形態では、いわゆるサイドリテーナを備えたものを示したが、ランスの撓み空間内に進入してランスの撓み変形を規制可能な撓み規制部を有するフロントリテーナを装着するものも本発明に含まれる。またリテーナを省略したものも本発明に含まれる。
【図面の簡単な説明】
【００２８】
【図１】本発明の実施形態１に係る雌コネクタの分解斜視図
【図２】雌端子金具を係止突部側から見た斜視図
【図３】上段側のキャビティと雌端子金具の拡大側断面図
【図４】雌端子金具を挿入または抜き取る途中の状態を示す拡大側断面図
【図５】雌端子金具が正規深さまで挿入された状態を示す拡大側断面図
【図６】リテーナを本係止位置へ移動させた状態を示す拡大側断面図
【図７】本発明の実施形態２に係る上段側のキャビティと雌端子金具の拡大側断面図
【図８】雌端子金具を挿入または抜き取る途中の状態を示す拡大側断面図
【図９】従来例の断面図
【符号の説明】
【００２９】
１０…雌端子金具（端子金具）
１３…外壁（対向面）
１４…凹部
１５，１５Ａ…係止突部
１５Ａａ…後端部
１５Ａｂ…下面（対向面）
２０…雌ハウジング（コネクタハウジング）
２２…キャビティ
２４…ランス
２４ａ，２４ｂ…連結部分（前後両端部）
３４…案内傾斜面
３５…沿面
３６…逃がし傾斜面
【図１】
2005158418.tif 000003
【図２】
2005158418.tif 000004
【図３】
2005158418.tif 000005
【図４】
2005158418.tif 000006
【図５】
2005158418.tif 000007
【図６】
2005158418.tif 000008
【図７】
2005158418.tif 000009
【図８】
2005158418.tif 000010
【図９】
2005158418.tif 000011